(57)【要約】【課題】構造が簡単で且つコストの低減を図ることができ、しかも、配管工事を容易且つ迅速に行える夾雑物除去用管を提供することを課題とする。【解決手段】流水管３ａ，３ｂ間に接続可能な管本体７と、該管本体７内を流れる夾雑物を除去するための排出口９ａを有する除去部８を備えた夾雑物除去用管において、前記除去部８は管本体７に一体的に膨出成形され、前記除去部８は、管本体７の径外方に行くに従い幅小となるように下方に膨出した夾雑物捕集部１０と、該夾雑物捕集部１０の下端に形成された前記排出口９ａを有する排出部９とを備え、前記夾雑物捕集部１０の上流側の傾斜面１０ａの角度α１は、下流側の傾斜面１０ｂの角度α２に比し、大きく設定されていることにある。【選択図】      図１
2004316744.tif 000002
【特許請求の範囲】
【請求項１】
流水管（３ａ），（３ｂ）間に接続可能な管本体（７）と、該管本体（７）内を流れる夾雑物を除去するための排出口（９ａ）を有する除去部（８）を備えた夾雑物除去用管において、前記除去部（８）は管本体（７）に一体的に膨出成形され、前記除去部（８）は、管本体（７）の径外方に行くに従い幅小となるように下方に膨出した夾雑物捕集部（１０）と、該夾雑物捕集部（１０）の下端に形成された前記排出口（９ａ）を有する排出部（９）とを備え、前記夾雑物捕集部（１０）の上流側の傾斜面（１０ａ）の角度（α１）は、下流側の傾斜面（１０ｂ）の角度（α２）に比し、大きく設定されていることを特徴とする夾雑物除去用管。
【請求項２】
流水管（３ａ），（３ｂ）間に接続可能な管本体（７）と、該管本体（７）内を流れる夾雑物を除去するための排出口（９ａ）を有する除去部（８）を備えた夾雑物除去用管において、前記除去部（８）は管本体（７）に一体的に膨出成形され、前記除去部（８）は、管本体（７）の径外方に行くに従い幅小となるように下方に膨出した夾雑物捕集部（１０）と、該夾雑物捕集部（１０）の下端に形成された前記排出口（９ａ）を有する排出部（９）とを備え、前記夾雑物捕集部（１０）の上流側の傾斜面（１０ａ）と、下流側の傾斜面（１０ｂ）は同等に設定され、前記傾斜面（１０ａ）、（１０ｂ）は、夾雑物の入り口側から第１傾斜面（１０ａ１）、（１０ｂ１）と、排出部（９）側の第２傾斜面（１０ａ２）、（１０ｂ２）の複数段階に設けられ、第１傾斜面（１０ａ１）、（１０ｂ１）の角度（α１ａ）、（α２ａ）は、第２傾斜面（１０ａ２）、（１０ｂ２）の角度（α１ｂ）、（α２ｂ）よりも大きくなっていることを特徴とする夾雑物除去用管。
【発明の詳細な説明】
【０００１】
【発明の属する技術分野】
本発明は、流水管内を流れる流水中に含まれる夾雑物を除去するための夾雑物除去用管に関する。
【０００２】
【従来の技術】
一般に、例えば、ダクタイル鋳鉄管等を使用した流水管においては、該管内面に錆止めのためにモルタルライニングが施されており、各家庭等に供給する水質を保障しているのが一般的である。
【０００３】
【発明が解決しようとする課題】
上記水道管のように既設又は新設の流水管は、必要に応じて枝管を取り出すため、この流水管に孔穿け工事、さらには流水管の切断工事が施される。これら工事過程等が原因で、砂、錆粉や金属粉等の夾雑物が混入し、流水管内を流体と一緒に流れるという問題があった。
【０００４】
そこで、流水中のこのような夾雑物を除去するためのフィルター部材を備えた装置が開発されている。しかし、この装置は、管とは別体の専用のものであるため、装置が複雑となり、コストが高くなると共に、配管現場での取り付け作業が煩雑となる問題があった。
【０００５】
本発明は、このような問題点に着目してなされたもので、構造が簡単で且つコストの低減を図ることができ、しかも、配管工事を容易且つ迅速に行える夾雑物除去用管を提供することを課題とする。
【０００６】
【課題を解決するための手段】
本発明は、前記課題を解決するためになされたもので、その技術的手段は、流水管３ａ，３ｂ間に接続可能な管本体７と、該管本体７内を流れる夾雑物を除去するための排出口９ａを有する除去部８を備えた夾雑物除去用管において、前記除去部８は管本体７に一体的に膨出成形され、前記除去部８は、管本体７の径外方に行くに従い幅小となるように下方に膨出した夾雑物捕集部１０と、該夾雑物捕集部１０の下端に形成された前記排出口９ａを有する排出部９とを備え、前記夾雑物捕集部１０の上流側の傾斜面１０ａの角度α１は、下流側の傾斜面１０ｂの角度α２に比し、大きく設定されていることにある。
【０００７】
そして、上流側の流水管３ａから管本体７に流体と共に入った夾雑物は、比重差により下向きに設けられた除去部８の内面を伝って下方に移動するため、下流側の流水管３ｂを流れる流体と分離され、排出口９ａを介して排出される。特に、傾斜角度が急な上流側の傾斜面１０ａにおいて、流速が急に減速するので、流水管３ａ内の底面と連続する上流側の傾斜面１０ａを伝って夾雑物が下方に落下し易くなり、夾雑物を確実に捕集することができる。
【０００８】
更に、流水管３ａ，３ｂ間に接続可能な管本体７と、該管本体７内を流れる夾雑物を除去するための排出口９ａを有する除去部８を備えた夾雑物除去用管において、前記除去部８は管本体７に一体的に膨出成形され、前記除去部８は、管本体７の径外方に行くに従い幅小となるように下方に膨出した夾雑物捕集部１０と、該夾雑物捕集部１０の下端に形成された前記排出口９ａを有する排出部９とを備え、前記夾雑物捕集部１０の上流側の傾斜面１０ａと、下流側の傾斜面１０ｂは同等に設定され、前記傾斜面１０ａ、１０ｂは、夾雑物の入り口側から第１傾斜面１０ａ１、１０ｂ１と、排出部９側の第２傾斜面１０ａ２、１０ｂ２の複数段階に設けられ、第１傾斜面１０ａ１、１０ｂ１の角度α１ａ、α２ａは、第２傾斜面１０ａ２、１０ｂ２の角度α１ｂ、α２ｂよりも大きくなっていることにある。かかる場合には、流体の流れ方向とは無関係に取り付けることができ、上下流側（取り付け勝手）を確認する必要がないため、現場での取り付け作業が簡単になる。
【０００９】
【発明の実施の形態】
以下、本発明に係る夾雑物除去用管の実施の形態を図面に基づいて詳細に説明する。図１〜図３は本発明の第一実施の形態を示し、同図において１は、一対の流水管３ａ，３ｂの間に接続される夾雑物除去用管を示す。該夾雑物除去用管１は、両端に前記流水管３ａ，３ｂに水密状に外嵌される膨出状の連結部５、５ａをそれぞれ有する管本体７と、該管本体７内を流れる夾雑物を除去するための除去部８とが、ダクタイル鋳鉄又は合成樹脂等から一体的に成形されている。
【００１０】
尚、管本体７の下流側の他端は、連結部が設けられていていなくてもよいが、かかる他端は、下流側の流水管３ｂに水密状に連結される。また、管本体７は全長にわたって同一直径のものであっても良い。
【００１１】
前記除去部８は、管本体７の径外方に行くに従い幅小（テーパー状）となるように下方に膨出した夾雑物捕集部１０を有し、この夾雑物捕集部１０により、夾雑物を溜めるのに適した空間を形成している。そして、夾雑物捕集部１０の下端に下向きの排出口９ａを有する排出部９が一体成形されている。
【００１２】
具体的には、夾雑物捕集部１０の水平方向に対する上流側の傾斜面１０ａの角度α１は、下流側の傾斜面１０ｂの角度α２に比し、大きく設定されている。また、下流側の傾斜面１０ｂの一端（上端）と排出部９の中心Ｏまでの距離Ｌは、２００ｍｍ以上であるのが好ましい。更に好ましくは、下流側の傾斜面１０ｂのの一端と排出部９の中心０までの距離Ｌは、管本体７の内径ｄ以上に設定されている。
【００１３】
前記排出部９の下端には、前記夾雑物捕集部１０に溜まった夾雑物を排出するための排出用配管又はパイプ等の連結手段１２が適宜接続されている。連結手段１２は、例えば図示省略の消火栓に接続されている。夾雑物は、排出用配管１２を介して排出可能である。
【００１４】
次に、前記流水管を流体（水）と一緒に流れる夾雑物を捕集するメカニズムについて説明する。
砂や金属粉等の水よりも比重の大きい夾雑物は、上流側の流水管３ａ内の底面を転がりながら飛ぶようにして（跳ねるようにして）流れて運ばれてくる。本実施の形態では、夾雑物捕集部１０の上流側の傾斜面１０ａが、下流側の傾斜面１０ｂに比し、管軸方向に短くなっている。すなわち、夾雑物が跳ねるようにして流れてきても、流速が夾雑物捕集部１０で急に減速するので、流水管３ａ内の底面と連続する上流側の傾斜面１０ａを伝って夾雑物が下方に落下する。特に比重の大きな夾雑物を確実に捕集することができる。
【００１５】
尚、下流側の傾斜面１０ｂの一端と排出部９の中心Ｏまでの距離Ｌは、２００ｍｍ以上で、且つ、管本体７の内径ｄ以上に設定されている場合には、流体が水道水である場合のその流速等を考慮すると、上流側の傾斜面１０ａを伝って落下しなかった夾雑物は、傾斜が緩やかな傾斜面１０ｂに当接し、該傾斜面１０ｂに沿って下方に落下し易くなり、最も効率よく夾雑物を捕集できることが実験的に確認された。
【００１６】
前記夾雑物捕集部１０に捕集された夾雑物は、排出部９を介して排出用配管１２に蓄積されるが、水道水を放出して消火栓を定期的に点検する際に、排出用配管１２に蓄積された夾雑物を水と共に外部に排出することができる。
前記第一実施の形態の夾雑物除去用管は、夾雑物捕集部１０の上流側の傾斜面１０ａが、下流側の傾斜面１０ｂに比し、管軸方向に短くなっているため、夾雑物除去用管の全長を可及的に短くできる利点がある。
【００１７】
図４及び図５は、本発明の第二実施の形態を示し、前記第一実施の形態と同一部材は同一符号を付して、その説明を省略する。具体的には、前記管本体７の下面側で且つ傾斜面１０ａの上流位置（上端）には、第一突出部１５が管本体７の周方向に設けられている。該突出部１５の長さ（周長）Ｌ１は、図５に示す如く夾雑物捕集部１０の基部の幅（周長）Ｗよりも長く設定されている。また、突出部１５の高さは、流体の流量及び流速や、夾雑物の種類によって適宜設定されると共に、その上面には、下流に向けて次第に高くなる方向に傾斜する傾斜面１５ａが形成されているのが好ましい。また、下流側の傾斜面１０ｂの下流位置にも、第二突出部１６が設けられている。尚、突出部１５，１６は、管本体７と一体に成形しても、別体のものを固定しても良い。
【００１８】
前記第一突出部１５を管本体７の周方向に設けることにより、夾雑物を巻き込むようにして下方の傾斜面１０ａに効果的に導くことができる。また、第二突出部１６は、管本体７を流体が逆流する場合に効果的であり、第一突出部１５と同様の効果が期待できる。
【００１９】
図６は、本発明の第三実施の形態を示す。即ち本実施の形態は、夾雑物捕集部１０の一方側の傾斜面１０ａと、他方側の傾斜面１０ｂをそれぞれ同等に設けたものである。具体的には、各傾斜面１０ａ、１０ｂは、夾雑物の入り口側から第１傾斜面１０ａ１、１０ｂ１と、排出部９側の第２傾斜面１０ａ２、１０ｂ２の２段階に設けられている。第１傾斜面１０ａ１、１０ｂ１の角度α１ａ、α２ａは、第２傾斜面１０ａ２、１０ｂ２の角度α１ｂ、α２ｂよりも大きくなっている。
【００２０】
かかる夾雑物除去用管１は、流体の流れ方向とは無関係に取り付けることができ、上下流側（取り付け勝手）を確認する必要がないため、現場での取り付け作業が簡単になる。また、夾雑物捕集部１０の開口部の断面が大きくできるので、夾雑物を確実に回収できる。尚、前記第二実施の形態で示した突出部１５を採用することも可能である。かかる場合には、図３に仮想線で示し如く、同一形状の突出部１５が一対設けられることとなる。
【００２１】
本発明は上記実施の形態に限定されるものではなく、例えば、排出部９を介して除去された夾雑物を所定量蓄えておいて、自動的に排出できるようにしても良い。また、流水管は水道管等の任意のものが採用可能であり、例えば既設の流水管内を流れる流体は、水道水の他の液体であっても本発明の範囲に含まれる。
【００２２】
しかも、２本の流水管３ａ，３ｂの直径は同じものに限らず、相違するもの同士の接続にも採用可能である。かかる場合には、管本体７の一方と他方の内径（口径）が相違することとなる。また、管本体７の断面形状は、円筒状以外に角筒状等のように任意の形状のものが可能である。
【００２３】
【発明の効果】
以上のように、本発明は、除去部が管本体に一体的に膨出成形され、前記除去部は、管本体の径外方に行くに従い幅小となるように下方に膨出した夾雑物捕集部と、該夾雑物捕集部の下端に形成された前記排出口を有する排出部とを備えているので、構造が簡単で且つコストの低減を図ることができる利点があると共に、配管現場においては、除去部を管本体へ取り付ける手間が省け、配管作業を容易且つ迅速に行える。しかも、夾雑物捕集部の上流側の傾斜面の角度は、下流側の傾斜面の角度に比し、大きく設定されているので、特に比重の大きい夾雑物を確実に捕集することができる。
【００２４】
前記夾雑物捕集部の上流側の傾斜面と、下流側の傾斜面は同等に設定され、前記傾斜面は、夾雑物の入り口側から第１傾斜面と、排出部側の第２傾斜面の２段階に設けられ、第１傾斜面の角度は、第２傾斜面の角度よりも大きくなっていることにある。かかる場合には、流体の流れ方向とは無関係に取り付けることができ、上下流側（取り付け勝手）を確認する必要がないため、現場での取り付け作業が簡単になる。
【図面の簡単な説明】
【図１】本発明の第一実施の形態を示す一部断面を含む正面図である。
【図２】同図１のＡ−Ａ線矢視断面図である。
【図３】同全体斜視図である。
【図４】本発明の第二実施の形態を示す一部断面を含む正面図である。
【図５】同図４のＢ−Ｂ線矢視断面図である。
【図６】本発明の第三実施の形態を示す断面正面図である。
【符号の説明】
３ａ，３ｂ…流水管、７…管本体、８…除去部、９ａ…排出口、１０…夾雑物捕集部、１０ａ…上流側の傾斜面、１０ｂ…下流側の傾斜面、１５，１６…突出部、α１…上流側の傾斜面の角度、α２…下流側の傾斜面の角度
【図１】
2004316744.tif 000003
【図２】
2004316744.tif 000004
【図３】
2004316744.tif 000005
【図４】
2004316744.tif 000006
【図５】
2004316744.tif 000007
【図６】
2004316744.tif 000008